(57)【特許請求の範囲】
【請求項１】
入金された貨幣および出金する貨幣を金種ごとに収納する複数の第１の収納庫と、貨幣を鑑別する鑑別部とを有し、顧客との取引を自動で行う自動取引装置であって、
前記第１の収納庫の貨幣を金種ごとに収納する第２の収納庫と、リジェクト貨幣収納部とを設け、前記第１の収納庫と前記第２の収納庫は同一の形状で、共に当該装置に対して着脱自在とし、
貨幣の計数時、装置に対して着脱自在な前記第１の収納庫と前記第２の収納庫との間で貨幣を移動させるものとし、前記移動する貨幣を前記鑑別部に搬送して金種の鑑別を行い、正券と鑑別した貨幣を前記第１または第２の収納庫に収納し、前記第１または第２の収納庫に収納した貨幣の金種別の枚数を計数し、リジェクト貨幣と鑑別した貨幣を、前記第１の収納庫と前記第２の収納庫との位置関係に応じて、直接前記リジェクト貨幣収納部に搬送して収納し、または一時的に集積した後、前記リジェクト貨幣収納部に搬送して収納することを特徴とする自動取引装置。
【請求項２】
請求項１に記載の自動取引装置において、
前記貨幣の計数は、貨幣の装填時または回収時に行われる計数であり、
前記貨幣の装填時、前記第２の収納庫内の貨幣を前記鑑別部に搬送して金種の鑑別を行い、正券と鑑別された貨幣の金種に該当する前記第１の収納庫に貨幣を収納し、前記第１の収納庫に収納した貨幣の金種別の枚数を計数すると共に、リジェクト貨幣と鑑別した貨幣を直接前記リジェクト貨幣収納部に搬送して収納し、
前記貨幣の回収時、前記第１の収納庫内の貨幣を前記鑑別部に搬送して金種の鑑別を行い、正券と鑑別した貨幣を前記第２の収納庫に収納し、前記第２の収納庫に収納した貨幣の金種別の枚数を計数すると共に、リジェクト貨幣と鑑別した貨幣を一時的に集積した後、前記リジェクト貨幣収納部に搬送して収納することを特徴とする自動取引装置。
【請求項３】
請求項２に記載の自動取引装置において、
印刷部を有し、
貨幣の装填時、前記リジェクト貨幣収納部に収納した貨幣の枚数を計数し、前記計数した第１の収納庫に収納した金種ごとの貨幣の枚数と前記リジェクト貨幣収納部に収納した貨幣の枚数とを印字した装填票を前記印刷部によって発行することを特徴とする自動取引装置。
【請求項４】
請求項２に記載の自動取引装置において、
印刷部を有し、
貨幣の回収時、前記リジェクト貨幣収納部に収納した貨幣の枚数を計数し、前記計数した第２の収納庫に収納した金種ごとの貨幣の枚数と前記リジェクト貨幣収納部に収納した貨幣の枚数とを印字した回収票を前記印刷部によって発行することを特徴とする自動取引装置。
【発明の詳細な説明】
【技術分野】
【０００１】
本発明は、金融機関に設置された自動取引装置に関し、特に収納した現金の精査を行う方法に関する。
【背景技術】
【０００２】
従来の自動取引装置は、紙幣としての千券を収容する千券収容箱と、万券を収容する万券収容箱、満杯となった千券収容箱の千券を入金する入金箱、帯封した千券を収容する帯封千券収容箱、帯封した万券を収容する帯封万券収容箱、損券を収容する損券収容部を備えている（例えば、特許文献１参照。）。
【特許文献１】特開昭６０−２４１１５９号公報（第２頁右欄段落６行目−第２頁右欄段落３４行目、第１図）
【発明の開示】
【発明が解決しようとする課題】
【０００３】
上述した従来の技術においては、金融機関での業務が終了して自動取引装置内の紙幣の精査を行うために紙幣の回収を行う場合、係員は各収容箱に収容されている紙幣を取り出してその紙幣を計数していくので、係員の計数間違い等の人為的なミスが起こることがあり紙幣の計数に手間取ってしまい、紙幣の精査に時間が掛かってしまうという問題がある。
【０００４】
本発明は、上記の問題点を解決するための手段を提供することを目的とする。
【課題を解決するための手段】
【０００５】
本発明は、上記課題を解決するために、入金された貨幣および出金する貨幣を金種ごとに収納する複数の第１の収納庫と、貨幣を鑑別する鑑別部とを有し、顧客との取引を自動で行う自動取引装置であって、前記第１の収納庫の貨幣を金種ごとに収納する第２の収納庫と、リジェクト貨幣収納部とを設け、前記第１の収納庫と前記第２の収納庫は同一の形状で、共に当該装置に対して着脱自在とし、貨幣の計数時、装置に対して着脱自在な前記第１の収納庫と前記第２の収納庫との間で貨幣を移動させるものとし、前記移動する貨幣を前記鑑別部に搬送して金種の鑑別を行い、正券と鑑別した貨幣を前記第１または第２の収納庫に収納し、前記第１または第２の収納庫に収納した貨幣の金種別の枚数を計数し、リジェクト貨幣と鑑別した貨幣を、前記第１の収納庫と前記第２の収納庫との位置関係に応じて、直接前記リジェクト貨幣収納部に搬送して収納し、または一時的に集積した後、前記リジェクト貨幣収納部に搬送して収納することを特徴とする。
【発明の効果】
【０００６】
これにより、本発明は、装填された紙幣の枚数と精査を行うために回収される紙幣の枚数とを計数するので、係員による紙幣の計数間違い等の人為的ミスを無くし、また係員にとって紙幣を計数する手間を省くことができ、よって業務効率を向上させることができるという効果が得られる。
【発明を実施するための最良の形態】
【０００７】
以下に、図面を参照して本発明による自動取引装置の実施例について説明する。
【実施例１】
【０００８】
図１は実施例１の自動取引装置の構成を示す説明図である。
図１において、１は自動取引装置である。
２は紙幣受入部であり、紙幣を集積して収納するための収納空間を有して、その収納空間内に図１における左右方向に移動可能なビルプレス２ａと、収納空間内に一部が突出している繰出ローラ２ｂとを設ける。
【０００９】
上記ビルプレス２ａと繰出ローラ２ｂ間の空間、つまり図１のビルプレス２ａの左側の空間は、自動取引装置１の紙幣投入口から投入された紙幣を収納し、また出金取引処理で顧客へ払い出す紙幣を収納するための収納空間となる。
また、図１のビルプレス２ａの右側の空間は、顧客によって投入された紙幣の内、紙幣鑑別部５で偽券や金種不明と鑑別されたリジェクト紙幣を集積する紙幣返却部６として機能する。
【００１０】
紙幣受入部２は、ビルプレス２ａと繰出ローラ２ｂとからなる分離機構を備えており、自動取引装置１の紙幣投入口から投入された紙幣をビルプレス２ａによって繰出ローラ２ｂに押圧し、繰出ローラ２ｂを回転させることで、紙幣を搬送路３に繰出す機能を有する。
３は搬送路であり、紙幣受入部２から繰出された紙幣が自動取引装置１の各部へと至るように延びており、その途中にブレードを複数設けてこのブレードを動かすことで紙幣の搬送方向が切り替わるようになっている。
【００１１】
また搬送路３の各所には光学式等の検知センサ４が複数設けられており、この検知センサ４によって搬送されている紙幣を検知する他、重送や搬送ジャム等の搬送エラーを検知する。
５は紙幣鑑別部であり、搬送される紙幣の真偽や正損、金種等を鑑別すると共に鑑別した紙幣の枚数を計数する機能を有する。
【００１２】
７は一時保留部であり、紙幣鑑別部５で正券と鑑別され、計数された紙幣を集積して一時保留する。また一時保留している紙幣を搬送路３へと繰出す繰出手段を備えている。
８、９は自動取引装置１の筐体から着脱可能な複数の紙幣収納庫であり、本実施例では８ａ、８ｂ、９ａ、９ｂの４つから構成される、収納庫８ａ、８ｂ、９ａ、９ｂは全て同一の形状を成すものであるが、動作説明の便宜上、８を装填紙幣収納部（８ａ、８ｂを装填紙幣収納庫）、９を金種別紙幣収納部（９ａ、９ｂを金種別紙幣収納庫）と称して以下説明する。
【００１３】
８は装填紙幣収納部であり、自動取引装置１の筐体から着脱可能な装填紙幣収納庫（第２の収納庫）８ａ、８ｂからなり、装填紙幣収納庫８ａ、８ｂが取り外されることで係員による紙幣の装填が可能に設けられており、装填紙幣収納庫８ａには千円札、装填紙幣収納庫８ｂには１万円札をそれぞれ一定枚数収納するように構成される。
装填紙幣収納庫８ａ、８ｂは、収納した紙幣を搬送路３に繰出すための繰出手段を備えている。
【００１４】
９は金種別紙幣収納部であって、自動取引装置１の筐体から着脱可能な金種別収納庫（第１の収納庫）９ａ、９ｂからなり、装填紙幣収納庫８ａ、８ｂに収納された紙幣の内、紙幣鑑別部５でその金種が確定した紙幣を収納すると共に、入金取引処理において顧客により投入された紙幣を収納する他、出金取引で顧客に出金するための紙幣を収納する。
金種別収納庫９ａは千円札を収納し、金種別収納庫９ｂは１万円札を収納する。
【００１５】
１０はリジェクト紙幣収納部（リジェクト貨幣収納部）であり、装填紙幣収納庫８ａ、８ｂから金種別収納庫９ａ、９ｂへと移される紙幣、金種別収納庫９ａ、９ｂから装填紙幣収納庫８ａ、８ｂへ移される紙幣、金種別収納庫９ａ、９ｂから出金される紙幣の内、紙幣鑑別部５でリジェクト紙幣（例えば、重送紙幣等）と鑑別された紙幣を収納する。
１１は取り忘れ紙幣集積部であり、出金取引処理で顧客に払出すために紙幣受入部２に集積した紙幣において、顧客が取り忘れた紙幣の搬送先であって、そのような取り忘れの紙幣を集積する。
【００１６】
１２は損券収納部であり、入金取引処理で顧客により投入されて紙幣鑑別部５で金種を鑑別できたが、出金取引には使用できない程度の損傷やしわ等がある損券を収納する他、入金取引処理で投入された５千円札を収納する。
図２は実施例１の自動取引装置を示すブロック図である。
１３は制御部であり、記憶部１４に格納された制御プログラムに従って自動取引装置１の各部を制御し、各種処理を遂行する。
【００１７】
１４は記憶部であり、制御プログラムを格納する他、制御部１３による処理結果等を記憶する。
１５は係員表示操作部であり、ＬＣＤ等の表示画面と、その表面に配されたタッチパネル等の操作部とによってなり、金融機関の係員によって自動取引装置１に紙幣の装填や回収等の処理を実行するための操作画面を表示し、その操作画面で押下されたキーに定義された情報を受け付ける。
【００１８】
１６は印刷部であり、紙幣の補充等で装填された紙幣の金種別の枚数等を印字した装填票を印刷する他、精査等で紙幣を回収した際の回収された紙幣の金種別の枚数等を印字した回収票を印刷して、印刷した装填票あるいは回収票を発行する機能を有する。
上述した構成の作用について説明する。
まず自動取引装置１に紙幣を装填するときの動作を説明する。
【００１９】
ここで、自動取引装置１内には紙幣は収納されていない状態であるものとする。
自動取引装置１に紙幣を装填する係員は、係員表示操作部１５によって紙幣の装填処理のための入力操作を行う。
自動取引装置１の制御部１３は、係員表示操作部１５に装填紙幣収納庫８ａ、８ｂに紙幣を装填するように促す画面を表示する。
【００２０】
係員は表示された画面に従って装填紙幣収納庫８ａ、８ｂに紙幣を装填するために、装填紙幣収納庫８ａ、８ｂを外部に引出し、その装填紙幣収納庫８ａ、８ｂそれぞれに紙幣を装填して自動取引装置１の内部に戻し、紙幣の装填が完了した旨の入力を行う。
制御部１３は、装填紙幣収納庫８ａ、８ｂに収納された紙幣の計数動作を開始する。
ここで、図３は装填された紙幣の計数動作に伴う紙幣の搬送の様子を示す説明図であり、（ａ）は装填紙幣収納庫８ａに収納された紙幣の搬送経路を示し、（ｂ）は装填紙幣収納庫８ｂに収納された紙幣の搬送経路を示している。
【００２１】
また図３（ａ）、（ｂ）においてはリジェクト紙幣をＲＪと表わす。
制御部１３は、装填紙幣収納庫８ａ内の紙幣の計数動作を行うとき、装填紙幣収納庫８ａ内に収納された紙幣を繰出し手段によって１枚ずつ分離して搬送路３に繰出す。
制御部１３は、図３（ａ）に示すように搬送路３に繰出した紙幣を紙幣鑑別部５に搬送して紙幣鑑別部５で紙幣の鑑別を行い、その鑑別結果から金種を鑑別して正券であることを確認した紙幣を金種別収納庫９ａに搬送して収納する。
【００２２】
一方、制御部１３は、紙幣鑑別部５によって正券と鑑別できなかった紙幣（リジェクト紙幣）については、図３（ａ）に示すようにリジェクト紙幣収納部１０に搬送して収納する。
また、装填紙幣収納庫８ｂ内の紙幣の計数動作を行う場合、制御部１３は、装填紙幣収納庫８ｂ内に収納された紙幣を繰出し手段によって１枚ずつ分離して搬送路３に繰出す。
【００２３】
制御部１３は、図３（ｂ）に示すように搬送路３に繰出した紙幣を紙幣鑑別部５に搬送して紙幣鑑別部５で紙幣の鑑別を行い、その鑑別結果から金種を鑑別して正券であることを確認した紙幣を金種別収納庫９ｂに搬送して収納していく。
一方、制御部１３は、紙幣鑑別部５によって正券と鑑別できなかった紙幣（リジェクト紙幣）については、図３（ｂ）に示すようにリジェクト紙幣収納部１０に搬送して収納する。
【００２４】
ここで、制御部１３は紙幣鑑別部５によって正券と鑑別した紙幣の金種ごとの枚数を計数し、その計数した紙幣の金種ごとの枚数を金種別装填枚数として記憶部１４に記憶すると共に、リジェクト紙幣の枚数を金種ごとに計数して金種別リジェクト枚数として記憶部１４に記憶する。
図４は装填票を示す説明図である。
【００２５】
なお、図４においてはリジェクト紙幣をＲＪと表わす。
制御部１３は、記憶部１４に記憶した金種別装填枚数と金種別リジェクト枚数とを読み出し、金種別装填枚数をもとに図４に示すように金種別収納庫９ａ、９ｂそれぞれに収納した紙幣の枚数を印字すると共に、金種別リジェクト枚数を印字した装填票を印刷部１６により発行し、装填された紙幣の計数を終了する。
【００２６】
例えば、金種別装填枚数の千円札が４９８枚、一万円札が４９９枚であって、千円札のリジェクト紙幣が２枚、１万円札のリジェクト紙幣が１枚である場合には、装填票にそれらの紙幣の枚数とリジェクト紙幣の枚数とが印字される。
なお、リジェクト紙幣収納部１０に収納した紙幣は係員が外部に取り出して計数し、未確定紙幣として例えば金融機関の窓口の元方へ返却する。この状態で運用可能な状態になる。
【００２７】
次に自動取引装置１の稼働時間の終了に伴い、自動取引装置１から紙幣を回収するときの動作を説明する。
自動取引装置１に収納されている紙幣の回収を行う場合、係員は係員表示操作部１５で紙幣の回収処理のための入力操作を行う。
制御部１３は、金種別収納庫９ａ、９ｂに収納された紙幣の計数動作を開始する。
【００２８】
ここで、図５は紙幣回収における紙幣の計数動作に伴う紙幣の搬送の様子を示す説明図であり、（ａ）は金種別収納庫９ａに収納された紙幣の搬送経路を示し、（ｂ）は金種別収納庫９ｂに収納された紙幣の搬送経路を示し、（ｃ）は紙幣受入部に集積したリジェクト紙幣を再度搬送路に繰出した後の搬送経路を示している。また図５（ａ）、（ｂ）、（ｃ）においてはリジェクト紙幣をＲＪと表わす。
【００２９】
まず制御部１３は、金種別収納庫９ａ内の紙幣を計数するとき、金種別収納庫９ａ内の紙幣を金種別収納庫９ａに設けた繰出し手段によって１枚ずつ分離して搬送路３に繰出していく。
制御部１３は、図５（ａ）に示すように搬送路３に繰出した紙幣を順次紙幣鑑別部５に搬送し、紙幣鑑別部５で紙幣の鑑別を行い、その鑑別結果から正券であることを確認した紙幣を装填紙幣収納庫８ａに搬送して収納する。
【００３０】
一方、制御部１３は、紙幣鑑別部５によって正券と鑑別できなかった紙幣（リジェクト紙幣）については、図５（ａ）に示すように紙幣受入部２に搬送することで、紙幣受入部２に集積するようにする。
なお、このときビルプレス２ａを図５（ａ）に示すように紙幣受入部２内の右側に移動させておくことで、搬送したリジェクト紙幣をビルプレス２ａの左側に集積させる。
【００３１】
また、金種別収納庫９ｂ内の紙幣を計数するとき、制御部１３は金種別収納庫９ｂに設けた繰出し手段によって金種別収納庫９ｂ内の紙幣を１枚ずつ分離して搬送路３に繰出していく。
制御部１３は、図５（ｂ）に示すように搬送路３に繰出した紙幣を順次紙幣鑑別部５に搬送し、紙幣鑑別部５で紙幣の鑑別を行い、その鑑別結果から正券であることを確認した紙幣を装填紙幣収納庫８ｂに搬送して収納していく。
【００３２】
一方、制御部１３は、紙幣鑑別部５によって正券と鑑別できなかった紙幣（リジェクト紙幣）については、図５（ｂ）に示すように紙幣受入部２へと搬送し、紙幣受入部２に集積するようにする。
なお、このときビルプレス２ａを図５（ｂ）に示すように紙幣受入部２内の右側に移動させておくことで、搬送したリジェクト紙幣をビルプレス２ａの左側に集積させる。
【００３３】
ここで、制御部１３は紙幣鑑別部５によって正券と鑑別した紙幣の金種ごとの枚数を計数し、その計数した紙幣の金種ごとの枚数を金種別集計枚数として記憶部１４に記憶すると共に、リジェクト紙幣と鑑別した紙幣の枚数を金種ごとに計数してリジェクト紙幣枚数として記憶部１４に記憶する。
なお、制御部１３は、ビルプレス２ａを繰出ローラ２ｂ側へと移動させ、集積したリジェクト紙幣を繰出ローラ２ｂに押し付けると共に、繰出ローラ２ｂを回転させることで、図５（ｃ）に示すように紙幣受入部２に集積したリジェクト紙幣を再度搬送路３に繰出していき、リジェクト紙幣収納部１０に搬送して収納するようにする。
【００３４】
ここで、図６は回収票を示す説明図である。
なお、図６においてはリジェクト紙幣をＲＪと表わす。
制御部１３は、記憶部１４から金種別集計枚数とリジェクト紙幣枚数とを読み出し、図６に示すように金種別集計枚数とリジェクト紙幣枚数とを印字した回収票を印刷部１６により発行し、回収した紙幣の計数を終了する。
【００３５】
例えば、金種別集計枚数の千円札が２２３枚、一万円札が７２６枚であって、千円札のリジェクト紙幣が３枚、一万円札のリジェクト紙幣が２枚である場合には、回収票にそれらの紙幣の枚数とリジェクト紙幣の枚数とが印字される。
なお、係員は装填紙幣収納庫８ａ、８ｂから紙幣を回収すると共に、リジェクト紙幣収納部１０からリジェクト紙幣を回収し、回収したリジェクト紙幣の枚数と印字票に印字されたリジェクト紙幣の枚数とを比較してその一致を確認して、リジェクト紙幣の合計金額を計算する。
【００３６】
係員は、自動取引装置の係員表示操作部１５を操作することで、取引履歴をもとにした出金金額と入金金額のそれぞれの合計額を出力させて取得しておき、上述した金種別装填枚数に基づく金額に、入金金額の合計額を加えて出金金額の合計を差し引いた金額が、金種別集計枚数に基づく合計額に損券の合計金額を加えた金額と一致するか否かを確認することで、突合せを行い紙幣の精査を行う。
【００３７】
以上説明したように、本実施例では、紙幣の装填時と回収時に装填された紙幣の枚数と回収した紙幣の枚数を計数し、その計数した紙幣の枚数を印字した装填票と回収票を発行するので、係員による紙幣の計数間違い等の人為的ミスを無くすことができ、精査に掛かる時間が短縮し、業務効率を向上させることができる。
なお、上記実施例においては、紙幣を計数する場合を例に説明したが、これに限らず硬貨を計数する装置に適用しても同様の効果を得ることができる。
【図面の簡単な説明】
【００３８】
【図１】実施例１の自動取引装置を示す説明図
【図２】実施例１の自動取引装置を示すブロック図
【図３】装填された紙幣の計数動作に伴う紙幣の搬送の様子を示す説明図
【図４】装填票を示す説明図
【図５】紙幣回収における紙幣の計数動作に伴う紙幣の搬送の様子を示す説明図
【図６】回収票を示す説明図
【符号の説明】
【００３９】
１    自動取引装置
２    紙幣受入部
２ａ  ビルプレス
２ｂ  繰出ローラ
３    搬送路
４    検知センサ
５    紙幣鑑別部
６    紙幣返却部
７    一時保留部
８    装填紙幣収納部
８ａ、８ｂ  装填紙幣収納庫
９    金種別紙幣収納部
９ａ、９ｂ  金種別収納庫
１０  リジェクト紙幣収納部
１１  取り忘れ紙幣集積部
１２  損券収納部
１３  制御部
１４  記憶部
１５  係員表示操作部
１６  印刷部
【図１】
0005430082.tif 000002
【図２】
0005430082.tif 000003
【図３】
0005430082.tif 000004
【図４】
0005430082.tif 000005
【図５】
0005430082.tif 000006
【図６】
0005430082.tif 000007